(57)【特許請求の範囲】
【請求項１】
それぞれが断面円弧形のトロイド曲面である互いの軸方向片側面同士を対向させた状態で、互いに同心に、相対回転を自在に支持された少なくとも１対のディスクと、軸方向に関してこれら各ディスクの軸方向片側面同士の間位置の円周方向に関して複数個所に、これら各ディスクの中心軸に対し捩れの位置にある傾転軸を中心とする揺動変位を自在に設けられた複数のトラニオンと、これら各トラニオンの内側面に、それぞれスラスト転がり軸受を介して回転自在に支持され、球状凸面としたそれぞれの周面を、上記両ディスクの軸方向片側面にそれぞれ当接させた複数のパワーローラとを備え、
上記各トラニオンは、両端部に互いに同心に設けられた１対の上記傾転軸と、これら両傾転軸同士の間に存在し、少なくとも両ディスクの径方向に関する内側の側面を、上記両傾転軸の中心軸と平行でこの傾転軸の中心軸よりも上記両ディスクの径方向に関して外側に存在する中心軸を有する、円筒状凸面とした支持梁部とを備えたものであり、各スラスト転がり軸受は、この支持梁部と各パワーローラの外側面との間に設けられたもので、この支持梁部側に設けられた外輪と、この外輪の内側面に設けられた外輪軌道と上記パワーローラの外側面に設けられた内輪軌道との間に転動自在に設けられた複数個の転動体とを備えたものであって、上記外輪は、外側面に設けられた部分円筒面状の凹部と上記支持梁部の円筒状凸面とを係合させる事により上記各トラニオンに対し、上記両ディスクの軸方向に関する揺動変位を可能に支持されている
トロイダル型無段変速機に於いて、
上記凹部の内面と上記円筒状凸面とのうちの少なくとも一方の面に、この面から凹入する状態で、これら凹部及び円筒状凸面の中心軸と平行に、少なくとも設置状態で上記パワーローラの中心軸よりも鉛直方向上側に凹溝を設け、この凹溝を通じて潤滑油を流通させる
事を特徴とするトロイダル型無段変速機。
【請求項２】
凹溝の上流端を、設置状態でパワーローラの中心軸よりも鉛直方向下側に位置させると共に、同じく下流端を、このパワーローラの中心軸よりも鉛直方向上側で、且つ、スラスト転がり軸受のピッチ円に対応する部分に位置させた、
請求項１に記載したトロイダル型無段変速機。
【請求項３】
凹溝の上流端を、設置状態でパワーローラの中心軸よりも鉛直方向上側に位置させると共に、同じく下流端を、このパワーローラの中心軸に対応する部分に位置させた、
請求項１に記載したトロイダル型無段変速機。
【請求項４】
凹部の内面と円筒状凸面との間に部分円筒状の挟持部材を設けており、この挟持部材の部分円筒部のうちで凹溝と整合する部分に設けられた、この部分円筒部の内外両周面同士を連通させる貫通孔を通じて、潤滑油を流通させる、
請求項１〜３のうちの何れか１項に記載したトロイダル型無段変速機。
【請求項５】
それぞれが断面円弧形のトロイド曲面である互いの軸方向片側面同士を対向させた状態で、互いに同心に、相対回転を自在に支持された少なくとも１対のディスクと、軸方向に関してこれら各ディスクの軸方向片側面同士の間位置の円周方向に関して複数個所に、これら各ディスクの中心軸に対し捩れの位置にある傾転軸を中心とする揺動変位を自在に設けられた複数のトラニオンと、これら各トラニオンの内側面に、それぞれスラスト転がり軸受を介して回転自在に支持され、球状凸面としたそれぞれの周面を、上記両ディスクの軸方向片側面にそれぞれ当接させた複数のパワーローラとを備え、
上記各トラニオンは、両端部に互いに同心に設けられた１対の上記傾転軸と、これら両傾転軸同士の間に存在し、少なくとも両ディスクの径方向に関する内側の側面を、上記両傾転軸の中心軸と平行でこの傾転軸の中心軸よりも上記両ディスクの径方向に関して外側に存在する中心軸を有する、円筒状凸面とした支持梁部とを備えたものであり、各スラスト転がり軸受は、この支持梁部と各パワーローラの外側面との間に設けられたもので、この支持梁部側に設けられた外輪と、この外輪の内側面に設けられた外輪軌道と上記パワーローラの外側面に設けられた内輪軌道との間に転動自在に設けられた複数個の転動体とを備えたものであって、上記外輪は、外側面に設けられた部分円筒面状の凹部と上記支持梁部の円筒状凸面とを係合させる事により上記各トラニオンに対し、上記両ディスクの軸方向に関する揺動変位を可能に支持されている
トロイダル型無段変速機に於いて、
上記凹部の内面と上記円筒状凸面とのうちの少なくとも一方の面に、この面から凹入する状態で、これら凹部及び円筒状凸面の中心軸と平行に凹溝を設けると共に、これら凹部の内面と円筒状凸面との間に部分円筒状の挟持部材を設けており、この挟持部材の部分円筒部のうちで上記凹溝と整合する部分に設けられた、この部分円筒部の内外両周面同士を連通させる貫通孔と、上記凹溝とを通じて潤滑油を流通させる
事を特徴とするトロイダル型無段変速機。
【請求項６】
外輪の外周面のうちで、凹溝の上流端と整合する部分に、この外周面から径方向内側に凹入する平坦面を設け、この平坦面を、トラニオンの内側面のうちで、支持梁部の端部と傾転軸との連続部に設けた段差面に対向させた、
請求項１〜５のうちの何れか１項に記載したトロイダル型無段変速機。
【発明の詳細な説明】
【技術分野】
【０００１】
この発明は、例えば車両（自動車）用の自動変速機、建設機械（建機）用の自動変速機、航空機（固定翼機、回転翼機、飛行船等）等で使用されるジェネレータ（発電機）用の自動変速機、ポンプ等の各種産業機械の運転速度を調節する為の自動変速機として利用する、トロイダル型無段変速機の改良に関する。具体的には、トラニオンの大型化を伴う事なく、このトラニオンの強度を確保しつつ、必要な部分に潤滑油（トラクションオイル）を流通させる事ができる、簡素且つ低コストで得られる構造を実現するものである。
【背景技術】
【０００２】
自動車用変速装置としてトロイダル型無段変速機を使用する事が、一部で実施されて周知である。図１７は、現在実施されているトロイダル型無段変速機の基本構成を示している。先ず、この従来構造の第１例に就いて、簡単に説明する。１対の入力側ディスク１ａ、１ｂを入力回転軸２に対し、それぞれがトロイド曲面（断面円弧形の凹面）であって特許請求の範囲に記載した軸方向片側面に相当する入力側内側面３、３同士を互いに対向させた状態で、互いに同心に、且つ、同期した回転を自在に支持している。又、上記入力回転軸２の中間部周囲に、中間部外周面に出力歯車４を固設した出力筒５を、この入力回転軸２に対する回転を自在に支持している。又、この出力筒５の両端部に出力側ディスク６、６を、スプライン係合により、この出力筒５と同期した回転自在に支持している。この状態で、それぞれがトロイド曲面であって特許請求の範囲に記載した軸方向片側面に相当する、上記両出力側ディスク６、６の出力側内側面７、７が、上記両入力側内側面３、３に対向する。
【０００３】
又、上記入力回転軸２の周囲で上記入力側、出力側両内側面３、７同士の間部分（キャビティ）に、それぞれの周面を球状凸面としたパワーローラ８、８を、２個ずつ配置している。これら各パワーローラ８、８は、それぞれトラニオン９、９の内側面に、基半部と先半部とが偏心した支持軸１０、１０と、複数の転がり軸受とを介して、これら各支持軸１０、１０の先半部回りの回転、及び、これら各支持軸１０、１０の基半部を中心とする若干の揺動変位自在に支持されている。又、上記各トラニオン９、９は、それぞれの長さ方向（図１７の表裏方向）両端部にこれら各トラニオン９、９毎に互いに同心に設けられた、傾転軸１１、１１（例えば後述する図２２等参照）を中心として揺動変位自在である。これら各トラニオン９、９を揺動（傾斜）させる動作は、例えばこれら各トラニオン９、９毎に設けた油圧式のアクチュエータ２９、２９（例えば後述する図２４等参照）により行う。即ち、変速時には、これら各アクチュエータ２９、２９への圧油の給排により、上記各トラニオン９、９を上記各傾転軸１１、１１の軸方向に変位させる。この結果、上記各パワーローラ８、８の周面と上記入力側、出力側各内側面３、７との接触部（トラクション部）の接線方向に作用する力の方向が変化する（サイドスリップが発生する）ので、上記各トラニオン９、９が上記各傾転軸１１、１１を中心として揺動変位する。
【０００４】
上述の様なトロイダル型無段変速機の運転時には、駆動軸１２により一方（図１７の左方）の入力側ディスク１ａを、ローディングカム式の押圧装置１３を介して回転駆動する。この結果、前記入力回転軸２の両端部に支持された１対の入力側ディスク１ａ、１ｂが、互いに近づく方向に押圧されつつ同期して回転する。そして、この回転が、上記各パワーローラ８、８を介して前記両出力側ディスク６、６に伝わり、前記出力歯車４から取り出される。上記入力回転軸２と上記出力歯車４との回転速度の比を変える場合で、先ず入力回転軸２と出力歯車４との間で減速を行う場合には、上記各トラニオン９、９を図１７に示す位置に揺動させ、上記各パワーローラ８、８の周面を、上記各入力側ディスク１ａ、１ｂの入力側内側面３、３の中心寄り部分と上記両出力側ディスク６、６の出力側内側面７、７の外周寄り部分とにそれぞれ当接させる。反対に、増速を行う場合には、上記各トラニオン９、９を図１７と反対方向に揺動させ、上記各パワーローラ８、８の周面を、上記両入力側ディスク１ａ、１ｂの入力側内側面３、３の外周寄り部分と上記両出力側ディスク６、６の出力側内側面７、７の中心寄り部分とにそれぞれ当接させる。上記各トラニオン９、９の揺動角度を中間にすれば、上記入力回転軸２と出力歯車４との間で、中間の速度比（変速比）を得られる。
【０００５】
上述の様なトロイダル型無段変速機の運転時には、動力の伝達に供される各部材、即ち、入力側、出力側各ディスク１ａ、１ｂ、６と上記各パワーローラ８、８とが、前記押圧装置１３が発生する押圧力（推力）に基づいて弾性変形する。そして、この弾性変形に伴って、上記各ディスク１ａ、１ｂ、６が軸方向に変位する。又、上記押圧装置１３が発生する押圧力は、上記トロイダル型無段変速機により伝達するトルクが大きくなる程大きくなり、それに伴って上記各部材の弾性変形量も多くなる。従って、上記トルクの変動に拘らず、上記入力側、出力側各側面３、７と上記各パワーローラ８、８の周面との接触状態を適正に維持する為に、これら各パワーローラ８、８を上記各トラニオン９、９に対し、上記各ディスク１ａ、１ｂ、６の軸方向に変位させる機構が必要になる。
【０００６】
上述の図１７に示した従来構造の場合は、上記各パワーローラ８、８を支持した前記各支持軸１０、１０の先半部を、同じく基半部を中心として揺動変位させる事により、上記各パワーローラ８、８を上記軸方向に変位させる様にしている。但し、この様な、偏心軸である支持軸１０、１０により、上記各パワーローラ８、８を揺動させる構造の場合、偏心量を回転半径とする円弧運動に基づいてこれら各パワーローラ８、８が、各傾転軸１１、１１の軸方向に、僅かとは言え変位する。一方、特許文献１、２には、この様な傾転軸の軸方向に関する変位を抑えつつ（この様な変位を伴う事なく）、各パワーローラを各トラニオンに対し、各ディスクの軸方向に変位させられる構造が記載されている。但し、上述の図１７に示した構造に関しても、上記特許文献１、２に記載された構造に関しても、何れも、上記各パワーローラを各ディスクの軸方向に変位させる為の構造が複雑で、部品製作、部品管理、組立作業が何れも面倒になり、コストが嵩む事が避けられない。
【０００７】
この様な問題を解決する為の技術として、特許文献３に記載された構造が知られている。この従来構造の第２例に就いて、図１８〜２３により説明する。トラニオン９ａは、両端部に互いに同心に設けられた１対の傾転軸１１、１１と、これら両傾転軸１１、１１同士の間に存在し、少なくとも入力側、出力側両ディスク１ａ、１ｂ、６（図１７参照）の径方向（図１９、２１〜２３の上下方向）に関する内側（図１９、２１〜２３の上側）の側面を円筒状凸面１４とした、支持梁部１５とを備える。上記両傾転軸１１、１１は、それぞれラジアルニードル軸受１６、１６を介して、ヨーク（図示せず）或いは揺動フレーム（例えば特許文献１参照）に、揺動を可能に支持する。又、上記円筒状凸面１４の中心軸イは、図１９、２２に示す様に、上記両傾転軸１１、１１の中心軸ロと平行で、この傾転軸１１、１１の中心軸ロよりも、上記各ディスク１ａ、１ｂ、６の径方向に関して外側（図１９、２１〜２３の下側）に存在する。
【０００８】
又、上記支持梁部１５とパワーローラ８ａの外側面との間に設けるスラスト玉軸受１７を構成する外輪１８の外側面に、部分円筒面状の凹部１９を、この外側面を径方向に横切る状態で設けている。尚、上記スラスト玉軸受１７が、特許請求の範囲に記載したスラスト転がり軸受に相当する。そして、上記凹部１９と、上記支持梁部１５の円筒状凸面１４とを係合させ、上記トラニオン９ａに対し上記外輪１８を、上記各ディスク１ａ、１ｂ、６の軸方向に関する揺動変位を可能に支持している。尚、図示の例の構造の場合は、上記凹部１９の断面形状の曲率半径ｒ１９とこの円筒状凸面１４の断面形状の曲率半径ｒ１４（図２３）とを一致させて、これら凹部１９と円筒状凸面１４とを、直接当接させている。尚、この凹部１９側の曲率半径ｒ１９を、この円筒状凸面１４側の曲率半径ｒ１４よりも大きく（ｒ１９＞ｒ１４）しても良い。
【０００９】
又、図示の例の構造の場合には、上記外輪１８の内側面中央部に支持軸１０ａを、この外輪１８と一体に固設して、上記パワーローラ８ａをこの支持軸１０ａの周囲に、ラジアルニードル軸受２０を介して、回転自在に支持している。又、上記外輪１８及び上記支持軸１０ａの内部に、上記スラスト玉軸受１７及び上記ラジアルニードル軸受２０に潤滑油（トラクションオイル）を供給する為の支持軸側給油路２１を、上記支持梁部１５の内部に、この支持軸側給油路２１に繋がる支持梁部側給油路２２を、それぞれ設けている。上記外輪１８の外側面でこの支持軸側給油路２１の上流端開口を囲む部分には、この外輪１８の揺動方向に長い凹部２３を形成して、この外輪１８の揺動変位に拘らず、上記両通油路２１、２２同士が互いに連通する様にしている。更に、上記支持梁部１５の外部に、この支持梁部側給油路２２に繋がる給油パイプ２４を設けている。この給油パイプ２４の上流側端部は、上記トラニオン９ａの端部に設けた、同期ケーブルを架け渡す為のプーリ２５の内径側に開口させ、このプーリ２５の内径側を通じて、潤滑油の供給を可能にしている。
【００１０】
又、図示の例の構造の場合には、上記トラニオン９ａの内側面のうち、上記支持梁部１５の両端部と１対の傾転軸１１、１１との連続部に、互いに対向する１対の段差面２６、２６を設けている。これら両段差面２６、２６同士の間隔は、上記外輪１８の外径よりも極く僅か（例えば数十μｍ程度）だけ大きい。従って、上記凹部１９と上記円筒状凸面１４とを当接させた状態で、上記外輪１８の外周面が、上記両段差面２６、２６に当接若しくは近接対向する。即ち、上記外輪１８をこれら両段差面２６、２６同士の間に、上記パワーローラ８ａからこの外輪１８に加わるトラクション力を何れかの段差面２６、２６で支承可能な状態に組み付けている。
【００１１】
上述の様な従来構造の第２例の場合には、トロイダル型無段変速機の運転時に、入力側、出力側各ディスク１ａ、１ｂ、６、各パワーローラ８ａの弾性変形に基づき、これら各パワーローラ８ａをこれら各ディスク１ａ、１ｂ、６の軸方向に変位させる必要が生じると、これら各パワーローラ８ａを回転自在に支持している前記スラスト玉軸受１７の外輪１８が、外側面に設けた部分円筒面状の凹部１９と支持梁部１５の円筒状凸面１４との当接面を滑らせつつ、この円筒状凸面１４の中心軸イを中心として揺動変位する。この揺動変位に基づき、上記各パワーローラ８ａの周面のうちで、上記各ディスク１ａ、１ｂ、６の軸方向片側面と転がり接触する部分が、これら各ディスク１ａ、１ｂ、６の軸方向に変位し、上記接触状態を適正に維持する。この場合に、上記円筒状凸面１４の中心軸を中心とする揺動変位の揺動半径は、上記変速動作の際の揺動半径よりも大きく、上記入力側ディスク１ａ、１ｂと出力側ディスク６との間の変速比の変動に及ぼす影響は少ない（無視できるか、容易に修正できる範囲に留まる）。
【００１２】
ところで、上述した従来構造の第２例の場合には、トラニオン９ａを構成する支持梁部１５の背面（パワーローラ８ａと反対側の面）に、支持梁部側給油路２２の上流端を開口させている。ところが、この様な支持梁部側給油路２２を形成した上記支持梁部１５は、トロイダル型無段変速機の運転時に、入力側、出力側各ディスク１ａ、１ｂ、６から各パワーローラ８ａに加わるスラスト荷重に基づいて、このパワーローラ８ａ側が凹辺となる方向に弾性変形する。そして、この様な弾性変形に伴ない、上記支持梁部１５の背面（凸辺）に大きな引っ張り応力が加わる。上述した従来構造の第２例の場合には、上述の様な支持梁部側給油路２２を形成しても（支持梁部１５の背面に上流端を開口させても）、上記支持梁部１５延いては上記トラニオン９ａの強度を十分に確保できる様に、この支持梁部１５の外径（厚さ寸法並びに幅寸法）を大きくしている。但し、この様に支持梁部１５延いてはトラニオン８ａの寸法が大きくなる事（大型化）は、ケーシング内の限られた空間内への組み込み性（組み込み易さ、搭載し易さ）を低下させる等、好ましくない。特に、上記支持梁部１５の背面には、この背面から突出する状態で給油パイプ２４が設けられている為、この面からも寸法が嵩み易く、トロイダル型無段変速機の径方向寸法の増大に繋がる等、好ましくない。
【００１３】
又、上述した従来構造の第２例の場合、給油パイプ２４を通じて支持梁部側給油路２２に導入された潤滑油が、支持軸側給油路２１を介してスラスト玉軸受１７及びラジアルニードル軸受２０に供給される。但し、この様にスラスト玉軸受１７及びラジアルニードル軸受２０に潤滑油を供給できても、支持梁部１５の円筒状凸面１４と外輪１８の凹部１９の内面との摺接部の潤滑を、十分に図れない可能性がある。即ち、これら円筒状凸面１４と凹部１９の内面とは、上記トロイダル型無段変速機を通過するトルクや変速比の変動に伴う、上記支持梁部１５と外輪１８との揺動に基づいて、互いに摺接する。但し、上記給油パイプ２４を通じて支持梁部側給油路２２に導入された潤滑油は、そのまま支持軸側給油路２１に導入される為、上記円筒状凸面１４と上記凹部１９の内面との摺接部に潤滑油が十分に導入されない可能性がある。そして、この様に潤滑油が十分に導入されない場合には、当該部分で揺動（摺接）を円滑に行えなくなる可能性がある他、当該部分で微小摩耗、微小剥離（peeling ：ピーリング）等の損傷を発生する可能性がある。
【００１４】
尚、上述の図１８〜２３に示した様なパワーローラユニットにより、トロイダル型無段変速機を構成する場合に、例えば図２４に示す様な構造とする事が考えられる。この図２４は、本発明に先立って考えた構造である。尚、この図２４の上下方向は、実際の使用状態での上下方向に対応（一致）する。この様な構造の場合は、円筒状凸面１４と凹部１９の内面とのうちで、設置状態で支持軸側、支持梁部側両給油路２１、２２よりも鉛直方向下側部分、即ち、図２４のα部分には、これら両給油路２１、２２を流通する潤滑油のうちの一部が、重力に基づいて入り込む。但し、この部分よりも鉛直方向上側部分、即ち、図２４のβ部分には、上記重力の加わる方向と逆方向である為、潤滑油が不足する可能性がある。この為、例え図２４に示す様にパワーローラユニットを配置した場合でも、上記上側部分（図２４のβ部分）で揺動（摺接）を円滑に行えなくなったり、微小摩耗、微小剥離（peeling ：ピーリング）等の損傷を発生する可能性がある。
【００１５】
尚、本発明に関連する先行技術文献として、上述した様な特許文献１〜３の他、例えば特許文献４が挙げられる。この特許文献４には、前述の図１７に示した様な構造、即ち、パワーローラ８を偏心軸である支持軸１０により揺動変位させる構造で、トラニオンの内側面に設けた凹溝を通じて潤滑油を供給する技術が記載されている。但し、この様な特許文献４に記載された構造の場合には、外輪とトラニオンの内側面との間に、このトラニオンに対する外輪の揺動を円滑に行う為のスラストニードル軸受（図１７のスラストニードル軸受２７参照）を設けており、このスラストニードル軸受２７を構成するニードル同士の間を潤滑油が流通する。この為、上述した円筒状凸面１４と凹部１９の内面との摺接部の様な、潤滑油の不足に伴う揺動不良や損傷等の不都合は生じにくい。
【００１６】
【特許文献１】独国特許出願公開第１０２４６４３２号明細書（DE10246432A1）
【特許文献２】特開２００３−２９４０９９号公報
【特許文献３】特開２００８−２５８２１号公報
【特許文献４】特開２００２−３４９６５７号公報
【発明の開示】
【発明が解決しようとする課題】
【００１７】
本発明は、上述の様な事情に鑑み、簡素且つ低コストで、トラニオンの大型化を伴う事なく、このトラニオンの強度を確保しつつ、必要な部分に潤滑油を流通させる事ができる構造を実現すべく発明したものである。
【課題を解決するための手段】
【００１８】
本発明のトロイダル型無段変速機は何れも、前述した従来から知られているトロイダル型無段変速機と同様に、少なくとも１対のディスクと、複数のトラニオンと、複数のパワーローラとを備える。
このうちの各ディスク（例えば入力側ディスク、出力側ディスク）は、それぞれが断面円弧形のトロイド曲面である互いの軸方向片側面（例えば入力側内側面、出力側内側面）同士を対向させた状態で、互いに同心に、相対回転を自在に支持されている。
又、上記各トラニオンは、軸方向に関してこれら各ディスクの軸方向片側面同士の間位置の円周方向に関して複数個所に、これら各ディスクの中心軸に対し捩れの位置にある傾転軸を中心とする揺動変位を自在に設けられている。
更に、上記各パワーローラは、上記各トラニオンの内側面に、それぞれスラスト転がり軸受（例えばスラスト玉軸受）を介して回転自在に支持され、球状凸面としたそれぞれの周面を、上記両ディスクの軸方向片側面にそれぞれ当接（転がり接触）させている。
【００１９】
又、上記各トラニオンは、両端部に互いに同心に設けられた１対の上記傾転軸と、これら両傾転軸同士の間に存在し、少なくとも上記両ディスクの径方向に関する内側の側面を、上記両傾転軸の中心軸と平行でこの傾転軸の中心軸よりも上記両ディスクの径方向に関して外側に存在する中心軸を有する、円筒状凸面とした支持梁部とを備える。
又、上記各スラスト転がり軸受は、この支持梁部と上記各パワーローラの外側面との間に設けられたもので、この支持梁部側に設けられた外輪と、この外輪の内側面に設けられた外輪軌道と上記パワーローラの外側面に設けられた内輪軌道との間に転動自在に設けられた複数個の転動体とを備える。
そして、上記外輪は、外側面に設けられた部分円筒面状の凹部と上記支持梁部の円筒状凸面とを係合させる事により、上記各トラニオンに対し、上記両ディスクの軸方向に関する揺動変位を可能に支持する。
【００２０】
特に、本発明のトロイダル型無段変速機のうち、請求項１に記載したトロイダル型無段変速機に於いては、上記凹部の内面と上記円筒状凸面とのうちの少なくとも一方の面に、この面から凹入する状態で、これら凹部及び円筒状凸面の中心軸と平行に、少なくとも設置状態で上記パワーローラの中心軸よりも鉛直方向上側に凹溝を設ける。そして、この凹溝を通じて、潤滑油を流通させる。
【００２１】
より具体的には、少なくとも、上記パワーローラの中心軸と、設置状態でこのパワーローラの中心軸よりも鉛直方向上側で、且つ、上記スラスト転がり軸受のピッチ円に略対応する部分との間に設ける。この場合により好ましくは、請求項２に記載した発明の様に、上記凹溝の上流端を、設置状態で上記パワーローラの中心軸よりも鉛直方向下側に位置させると共に、同じく下流端を、このパワーローラの中心軸よりも鉛直方向上側で、且つ、上記スラスト転がり軸受のピッチ円に対応する部分に位置させる。或は、請求項３に記載した発明の様に、上記凹溝の上流端を、設置状態で上記パワーローラの中心軸よりも鉛直方向上側に位置させると共に、同じく下流端を、このパワーローラの中心軸に対応する部分に位置させる。
【００２２】
又、請求項４、５に記載したトロイダル型無段変速機に於いては、上記凹部の内面と上記円筒状凸面との間に部分円筒状の挟持部材を設ける。そして、この挟持部材の部分円筒部のうちで、上記凹溝と整合する部分に設けられた、この部分円筒部の内外両周面同士を連通させる貫通孔を通じて、潤滑油を（例えば上記凹溝から下流側に）流通させる。
又、本発明のトロイダル型無段変速機を実施する場合により好ましくは、請求項６に記載した発明の様に、上記外輪の外周面のうちで、上記凹溝の上流端と整合する部分に、この外周面から径方向内側に凹入する平坦面（平坦部）を設け、この平坦面を、上記トラニオンの内側面のうちで、支持梁部の端部と傾転軸との連続部に設けた段差面に対向させる。
【発明の効果】
【００２３】
上述の様に構成する本発明のトロイダル型無段変速機によれば、何れも、トラニオンの大型化を伴う事なく、このトラニオンの強度を確保しつつ、必要な部分に潤滑油を流通させる事ができる構造を、簡素且つ低コストで実現できる。
即ち、潤滑油を供給する為の給油路を、トラニオンを構成する支持梁部の円筒状凸面と外輪の凹部の内面とのうちの少なくとも一方の面に凹溝を設ける事により構成する。この為、上記トラニオンの支持梁部の背面（パワーローラと反対側の面）に給油路を開口させない為、この支持梁部延いてはトラニオンの強度を確保し易く、このトラニオンの大型化を防止できる（小型に構成できる）。しかも、上記凹溝は、上記円筒状凸面と上記凹部の内面とのうちの少なくとも一方の面に直接設けられている。この為、この凹溝を通じて、上記円筒状凸面と凹部の内面との摺動部に潤滑油を、他の部分に逃げる事なく直接送り込む事ができ、この摺動部で揺動不良や微小摩耗、微小剥離（peeling ：ピーリング）等の損傷が発生する事を防止できる。又、上記凹溝は、切削や穿孔により形成できる為、給油パイプを設ける場合に比べ、簡素且つ低コストに構成できる。
【００２４】
又、請求項１に記載した発明の様に、上記凹溝を、少なくとも設置状態で上記パワーローラの中心軸よりも鉛直方向上側に設ければ、この設置状態との関係で潤滑油が最も不足し易くなる、上記パワーローラの中心軸よりも鉛直方向上側に、上記凹溝を通じて潤滑油を確実に送り込む事ができる。この為、上記円筒状凸面と上記凹部の内面との間の潤滑油の不足を、より確実に防止できる。又、この場合に、請求項３に記載した発明の様に、上記凹溝の上流端を、設置状態で上記パワーローラの中心軸よりも鉛直方向上側に位置させると共に、同じく下流端を、このパワーローラの中心軸に対応する部分に位置させれば、同じく上流端を上記パワーローラの中心軸よりも鉛直方向下側に位置させる場合（請求項２に記載した構造の場合）に比べ、上記凹溝の長さを短くできる。この為、上記支持梁部延いてはトラニオンの強度をより確保し易くできると共に、加工コストの更なる低減も図れる。尚、上記下流端を、上記パワーローラの中心軸よりも鉛直方向下側に位置させなくても、このパワーローラの中心軸よりも鉛直方向下側部分には、上記凹溝を流通する潤滑油の一部が重力に基づいて入り込む為、当該部分の潤滑油の不足は防止できる。
【００２５】
又、請求項４、５に記載した発明の様に、凹部の内面と円筒状凸面との間に部分円筒状の挟持部材を設けた場合には、この挟持部材により、凹溝の上流端とこの凹溝の上流端に通じる給油路の下流端との接続部分（外輪の外周面とトラニオンの内側面とが対向する部分）から潤滑油が漏洩する量を低減できる。又、これと共に、上記挟持部材の厚さに応じて、パワーローラの位置決めを図れる（トラニオンに対するパワーローラの組立高さを調節できる）為、このパワーローラの組み込み位置を高精度に規制しつつ、トロイダル型無段変速機の組立作業を容易に行える。又、請求項６に記載した発明の様に、外輪の外周面のうちで凹溝の上流端と整合する部分に平坦面を設けた場合には、この平坦面と、この平坦面に対向する、トラニオンの内側面との隙間を小さくできる。この為、上記凹溝の上流端とこの凹溝の上流端に通じる給油路の下流端との接続部分（外輪の外周面とトラニオンの内側面とが対向する部分）から潤滑油が漏洩する量を低減できる。
【発明を実施するための最良の形態】
【００２６】
［実施の形態の第１例］
図１〜３は、請求項１、２に対応する、本発明の実施の形態の第１例を示している。尚、本例の特徴は、トラニオン９ｂの大型化を伴う事なく、このトラニオン９ｂの強度を確保しつつ、必要な部分に潤滑油を流通させるべく、給油路（後述する第一、第二両凹溝３５、３６、上流側給油路３７）の構造等を工夫した点にある。その他の部分の構造及び作用は、前述の図１７〜２３に示した従来構造、或いは、前述の図２４に示した本発明に先立って考えた構造と同様であるから、同等部分に関する図示並びに説明は、省略若しくは簡略にし、以下、本例の特徴部分を中心に説明する。尚、図１〜３｛並びに後述する図４〜７、９〜１１、１２（ａ）、１３〜１６）｝の上下方向は、実際の使用状態での上下方向に対応する。
【００２７】
本例の場合も、前述の図１７〜２４に示した構造と同様に、トラニオン９ｂの一端部（図１下端部）に設けた、同期ケーブルを掛け渡す為のプーリ２５の内径側を通じて、潤滑油の供給を可能にしている。この為に、本例の場合は、上記トラニオン９ｂの一端部に設けた、このトラニオン９ｂと一体のロッド２８の外周面と、このトラニオン９ｂを傾転軸１１、１１の軸方向に変位させる為のアクチュエータ２９を構成するピストン部材３０の内周面との間に、上記潤滑油を流通させる為の第一隙間空間３１を設けている。そして、この第一隙間空間３１を通じて送られた上記潤滑油を、上記ピストン部材３０と上記プーリ２５との間で軸方向に挟持したワッシャ３２の内径側を通じて、このプーリ２５の内周面とこのプーリ２５を外嵌支持する小径段部３３の外周面との間に設けた、第二隙間空間３４に送り込んでいる。
【００２８】
一方、上記トラニオン９ｂを構成する支持梁部１５の円筒状凸面１４ａと、パワーローラ８ａを回転自在に支持する為のスラスト玉軸受１７を構成する外輪１８の凹部１９ａの内面との両面に、これら両面から凹入する状態でそれぞれ、上記潤滑油を流通させる為の第一、第二両凹溝３５、３６を設けている。これら第一、第二両凹溝３５、３６は、図１に示した中立状態で、上記円筒状凸面１４ａと上記凹部１９ａの内面とのうちで、上記パワーローラ８ａに最も近い側｛入力側、出力側各ディスク１ａ、１ｂ、６（図１７参照）の径方向に関して最も内径側｝に、これら凹部１９ａ並びに円筒状凸面１４ａの中心軸と平行に設けている。
【００２９】
又、上記第一、第二両凹溝３５、３６のうち、上記外輪１８の凹部１９ａの内面に設けた上記第一凹溝３５は、この外輪１８の外周面のうち、設置状態で最も下側となる部分（図１、３の最も下側の部分）、即ち、上記トラニオン９ｂの内側面を構成する下側の段差面２６（支持梁部１５の下端部と下側の傾転軸１１との連続部に設けた下側の段差面２６）に対向する部分を、上流端としている。そして、この部分から、同じく設置状態で上記パワーローラ８ａの中心軸よりも鉛直方向上側で、且つ、上記スラスト玉軸受１７のピッチ円に略対応する部分まで、上記第一凹溝３５を設けている（ピッチ円に略対応する部分を下流端としている）。尚、この第一凹溝３５の中間部で、上記各パワーローラ８ａの中心軸に対応する部分に、このパワーローラ８ａを支持する為の支持軸１０ａの内部に設けた、支持軸側給油路２１の上流端を開口させている。又、この支持軸側給油路２１の上流端に、この支持軸側給油路２１の上流端開口よりも大きな内径を有する凹部２３を設けている。
【００３０】
一方、上記第一、第二両凹溝３５、３６のうち、上記トラニオン９ｂの支持梁部１５の円筒状凸面１４ａに設けた第二凹溝３６は、このトラニオン９ｂの内側面のうち、設置状態で最も下側となる部分（図１、２の最も下側の部分）、即ち、このトラニオン９ｂの内側面のうちで、上記下側の段差面２６に対応する部分を、上流端としている。そして、この部分から、同じく設置状態で上記パワーローラ８ａの中心軸よりも鉛直方向上側で、且つ、上記スラスト玉軸受１７のピッチ円に略対応する部分まで、上記第二凹溝３６を設けている（ピッチ円に略対応する部分を下流端としている）。尚、上記第一、第二両凹溝３５、３６の幅（凹部１９ａ並びに円筒状凸面１４ａの円周方向に関する寸法）は、上記支持梁部１５と外輪１８との揺動変位に拘らず、これら両溝３５、３６同士の少なくとも一部が互いに対向する（互いに連通する）大きさにする事が好ましい。但し、この様に両溝３５、３６の少なくとも一部が常に対向する大きさにしなくても、上記外輪１８の凹部１９ａの内面に設けた上記凹部２３を通じて、上記第一、第二両凹溝３５、３６同士を互いに連通する様にしても良い。
【００３１】
又、上記トラニオン９ｂの下端部に設けた（下側の）傾転軸１１に、この傾転軸１１の中心軸と平行に、この傾転軸１１の下端面と上記下側の段差面２６とを貫通する状態で、上流側通油路３７を（穿孔により）設けている。この上流側通油路３７の上流端は、上記傾転軸１１の下端面で、前記第二隙間空間３４に整合する位置に開口している。一方、この上流側通油路３７の下流端は、上記下側の段差面２６のうちで、上記第二凹溝３６の上流端と整合する部分に開口させ、これら第二凹溝３６と上流側給油路３７とを互いに連続（連通）させている。前述の様に第二隙間空間３４に送り込まれた潤滑油は、上記上流側通油路３７を通じて、上記第一、第二両凹溝３５、３６内に導入される。そして、この様に第一、第二両凹溝３５、３６内に導入された潤滑油の一部が、これら第一、第二両凹溝３５、３６の下流端にまで流入すると共に、その残部が、前記支持軸側給油路２１を通じて、スラスト玉軸受１７及びラジアルニードル軸受２０に供給される。
【００３２】
上述の様に構成する本例によれば、トラニオン９ｂの大型化を伴う事なく、このトラニオン９ｂの強度を確保しつつ、必要な部分に潤滑油を流通させる事ができる構造を、簡素且つ低コストで実現できる。
即ち、潤滑油の供給を、外輪１８の凹部１９ａの内面に設けた第一凹溝３５と、トラニオン９ｂを構成する支持梁部１５の円筒状凸面１４ａに設けた第二凹溝３６とにより行う。この為、上記トラニオン９ｂの支持梁部１５の背面（パワーローラ８ａと反対側の面）に給油路を開口させなくて済み、この支持梁部１５延いてはトラニオン９ｂの強度を確保し易く、このトラニオン９ｂの大型化を防止できる（小型に構成できる）。又、上記第一、第二凹溝３５、３６は、上記円筒状凸面１４ａと上記凹部１９ａの内面との両面に直接設けられている為、これら第一、第二凹溝３５、３６を通じて、上記円筒状凸面１４ａと上記凹部１９ａの内面との摺動部に潤滑油を、他の部分に逃げる事なく直接送り込む事ができる。しかも、上述した様に、上記第一、第二凹溝３５、３６を、設置状態でパワーローラ８ａの中心軸よりも鉛直方向上側で、且つ、スラスト玉軸受１７のピッチ円に略対応する部分（上記パワーローラ８ａからのスラスト荷重を最も強く受ける為、特に潤滑油を必要とする部分）にまで設けている為、上記円筒状凸面１４ａと凹部１９ａの内面とのうちで、潤滑油が不足し易い部分である、設置状態で上記パワーローラ８ａの中心軸よりも鉛直方向上側部分にも、潤滑油を確実に送り込む事ができる。この為、上記円筒状凸面１４ａと上記凹部１９ａの内面との摺動部全体に亙り潤滑状態を良好にでき、揺動不良や微小摩耗、微小剥離（peeling ：ピーリング）等の損傷が発生する事を防止できる。又、上記第一、第二両凹溝３５、３６は、切削により形成できる為、前述の図１８〜２３に示した様な給油パイプ２４（図１８、１９、２１〜２３参照）を設ける場合に比べ、簡素且つ低コストに構成できる。
【００３３】
［実施の形態の第２例］
図４〜６は、請求項１、３に対応する、本発明の実施の形態の第２例を示している。本例の場合は、第一、第二両凹溝３５、３６の上流端を、設置状態でパワーローラ８ａの中心軸よりも鉛直方向上側に位置させている。即ち、上記第一、第二両凹溝３５、３６のうち、外輪１８の凹部１９ａの内面に設けた上記第一凹溝３５は、この外輪１８の外周面のうち、設置状態で最も上側となる部分（図４、６の最も上側の部分）、即ち、トラニオン９ｂの内側面を構成する上側の段差面２６（支持梁部１５の上端部と上側の傾転軸１１との連続部に設けた上側の段差面２６）に対向する部分を、上流端としている。そして、この部分から、同じく上記パワーローラ８ａの中心軸、即ち、上記外輪１８の支持軸１０ａの内部に設けた支持軸側給油路２１の上流端開口まで、上記第一凹溝３５を設けている（パワーローラ８ａの中心軸に対応する部分を下流端としている）。又、上記第一、第二両凹溝３５、３６のうち、トラニオン９ｂの支持梁部１５の円筒状凸面１４ａに設けた上記第二凹溝３６は、このトラニオン９ｂの内側面のうち、設置状態で最も上側となる部分（図４、５の最も上側の部分）、即ち、このトラニオン９ｂの内側面のうちで、上記上側の段差面２６に対応する部分を、上流端としている。
【００３４】
又、上記トラニオン９ｂの上端部に設けた（上側の）傾転軸１１に、この傾転軸１１の上端面と上記上側の段差面２６とを貫通する状態で、上流側通油路３７ａを（穿孔により）設けている。この上流側通油路３７ａの上流端は、上記傾転軸１１の上端面の中心に開口させている。一方、この上流側通油路３７ａの下流端は、上記上側の段差面２６のうちで、上記第二凹溝３６の上流端と整合する部分に開口させ、これら第二凹溝３６と上流側給油路３７ａとを互いに連続させている。又、本例の場合は、隣り合うキャビティ毎にそれぞれ設けた１対の支柱３８の上端部同士を、連結板３９により連結すると共に、この連結板３９内に設けた連結板側給油路４０の下流端と、上記傾転軸１１の上端面に開口する、上記上流側通油路３７ａの上流端とを、パイプ状の給油プラグ４１により連通している。この様な本例の場合には、上記連結板側給油４０並びに上記給油プラグ４１を通じて上記上流側通油路３７ａに送り込まれた潤滑油が、この上流側通油路３７ａを通じて、上記第一、第二両凹溝３５、３６内に導入される。そして、この様に第一、第二両凹溝３５、３６内に導入された潤滑油が、上記支持軸側給油路２１を通じて、スラスト玉軸受１７及びラジアルニードル軸受２０に供給される。
【００３５】
この様な本例の場合も、前述した実施の形態の第１例と同様に、トラニオン９ｂの大型化を伴う事なく、このトラニオン９ｂの強度を確保しつつ、必要な部分に潤滑油を流通させる事ができる構造を、簡素且つ低コストで実現できる。しかも、本例の場合には、前述した第１例の場合に比べ、第一、第二両凹溝３５、３６の長さを短くできる。この為、支持梁部１５延いてはトラニオン９ｂの強度をより確保し易くできると共に、加工コストの更なる低減も図れる。尚、本例の場合は、第一、第二両凹溝３５、３６の下流端を、パワーローラ８ａの中心軸よりも鉛直方向下側に位置させていないが、このパワーローラ８ａの中心軸よりも鉛直方向下側部分には、上記第一、第二両凹溝３５、３６を流通する潤滑油の一部が重力に基づいて入り込む為、当該部分の潤滑油の不足は防止できる。但し、必要に応じて、上記第一、第二両凹溝溝３５、３６（のうちの少なくとも何れか）の下流端を、設置状態で上記パワーローラ８ａの中心軸よりも鉛直方向下側で、且つ、上記スラスト玉軸受１７のピッチ円に略対応する部分に迄延長する事もできる。
その他の構成及び作用は、前述した第１例と同様であるから、重複する説明は省略する。
【００３６】
［実施の形態の第３例］
図７〜１２は、請求項１、２、４、５に対応する、本発明の実施の形態の第３例を示している。本例の場合は、外輪１８の凹部１９の内面とトラニオン９ｂを構成する支持梁部１５の円筒状凸面１４ａとの間に、部分円筒状の挟持部材４２を設けている。この挟持部材４２は、図１２に示す様に、金属板等の板材（薄板材）にプレス成形、折り曲げ成形等を施す事により、部分円筒状に形成したもので、外周面が上記凹部１９の内面と実質的に同じ曲率（曲率半径）を有する部分円筒部４３と、この部分円筒部４３の軸方向両端部に設けられた、この部分円筒部４３の径方向外方に折れ曲がった、１対の側板部４４、４４とを有する。このうちの部分円筒部４３には、この部分円筒部４３の内外両周面を貫通する状態で貫通孔４５ａ〜４５ｃを設けている。より具体的には、上記凹部１９の内面と上記円筒状凸面１４ａとの間に上記挟持部材４２を挟持した状態で（円筒状凸面１４ａに挟持部材４２を被せた状態で）、上記部分円筒部４３のうちで上記円筒状凸面１４ａに設けた第二凹溝３６と整合する位置に、上記各貫通孔４５ａ〜４５ｃを設けている。
【００３７】
本例の場合には、上記貫通孔４５ａ〜４５ｃを３個設けており、このうちの１個の貫通孔４５ｂを、上記挟持部材４２を組み付けた状態で支持軸側給油路２１の上流端と整合する位置に、残り２個の貫通孔４５ａ、４５ｃをそれぞれ、同じく組み付けた状態でスラスト玉軸受１７のピッチ円と整合する位置に、それぞれ設けている。そして、これら各貫通孔４５ａ〜４５ｃを通じて潤滑油を、上記第二凹溝３６から下流側に送り込み自在としている。尚、本例の場合は、上記外輪１８の凹部１９の内面に第一凹溝３５（例えば図１、３参照）を設けていない。但し、上記３個の貫通孔４５ａ〜４５ｃのうち、軸方向両端部にそれぞれ設けた２個の貫通孔４５ａ、４５ｃを通じて、上記挟持部材４２の部分円筒部４３の外周面と上記凹部１９の内面との間に潤滑油を送り込める。又、上記各側板部４４、４４は、上記挟持部材４２を上記支持梁部１５と外輪１８との間に組み付けた状態で、上記トラニオン９ｂの内側面と、この内側面に対向する上記外輪１８の両側面との間に、それぞれ挟持される。尚、本例の場合は、前述した実施の形態の第１〜２例の様に、トラニオン９ｂの内側面に段差面２６、２６を設けていない。上記挟持部材４２の各側板部４４、４４が、この段差面２６、２６と同様の機能を有する（外輪１８の外周面と対向する）。
【００３８】
この様な挟持部材４２を備えた本例の場合には、上記第二凹溝３６の上流端と、この第二凹溝３６の上流端に通じる、上流側給油路３７の下流端との接続部分、即ち、前述の図１、４並びに図１０でそれぞれＸの符号を付して囲った部分である、上記外輪１８の外周面とトラニオン９ｂの内側面とが対向する部分から、潤滑油が漏洩する量を低減できる。又、これと共に、上記挟持部材４２の厚さに応じて、パワーローラ８ａの位置決めを図れる（トラニオン９ｂに対するパワーローラ８の組立高さを調節できる）為、このパワーローラ８ａの組み込み位置を高精度に規制しつつ、トロイダル型無段変速機の組立作業を容易に行える。
その他の構成及び作用は、前述した第１例と同様であるから、重複する説明は省略する。尚、上述の図７〜１２に示した構造は、前述の第１例の構造（設置状態で鉛直方向下側から潤滑油を供給する構造）に対応するが、本例の構造を、前述の第２例の構造（設置状態で鉛直方向上側から潤滑油を供給する構造）に適用する事もできる。この場合には、挟持部材４２の円筒部に設ける貫通孔４５ａ〜４５ｃのうち、設置状態で下側となる貫通孔４５ｃを省略しても良い。又、前述の第２例の構造で、例えば第二凹溝３６の下流端を、設置状態で上記パワーローラ８ａの中心軸よりも鉛直方向下側で、且つ、上記スラスト玉軸受１７のピッチ円に略対応する部分に位置させる場合には、上記貫通孔４５ｃを設けたままとしても良い。
【００３９】
［実施の形態の第４例］
図１３〜１５は、請求項１、２、６に対応する、本発明の実施の形態の第４例を示している。本例の場合には、外輪１８の外周面のうちで、トラニオン９ｂの内側面に設けた両段差面２６、２６（支持梁部１５の両端部と１対の傾転軸１１との連続部にそれぞれ設けた、互いに対向する両段差面２６、２６）と対向する部分に、この外周面から径方向内側に凹入する状態で、互いに平行な１対の平坦面４６、４６を設けている。そして、これら両平坦面４６、４６を上記両段差面２６、２６に、それぞれ当接若しくは近接対向させている。尚、上記両平坦面４６、４６のうち、鉛直方向下側（図１３、図１５の下側）の平坦面４６は、上記外輪１８の凹部１９ａの内面に設けた第一凹溝３５の上流端と整合している。
【００４０】
この様な本例の場合は、上記両平坦面４６、４６と上記段差面２６、２６とを平坦面同士で当接させる事により、これら各面４６、２６との間の隙間を小さくできる。この為、第一、第二両凹溝３５、３６の上流端と、これら両凹溝３５、３６の上流端に通じる、上流側給油路３７の下流端との接続部分、即ち、前述の図１、４並びに図１３でそれぞれＸの符号を付して囲った部分である、上記外輪１８の外周面とトラニオン９ｂの内側面とが当接若しくは対向する部分から、潤滑油が漏洩する量を低減できる。
その他の構成及び作用は、前述した第１例と同様であるから、重複する説明は省略する。尚、上述の図１３〜１５に示した構造は、前述の第１例の構造（設置状態で鉛直方向下側から潤滑油を供給する構造）に対応するが、本例の構造を、前述の第２例の構造（設置状態で鉛直方向上側から潤滑油を供給する構造）に適用する事もできる。又、上述した実施の形態の第３例の様な、挟持部材４２を設ける事もできる。
【００４１】
［本発明に関連する参考例］
図１６は、本発明に関連する参考例を示している。本参考例の場合には、前述した実施の形態の第１〜４例の構造の様な、第一、第二凹溝３５、３６（例えば図１、４、１０、１３等参照）を設けていない。本参考例の場合には、トラニオン９ｃを構成する支持梁部１５ａに、この支持梁部１５ａ（の円筒状凸面１４ｂ）の中心軸と同心又はこの中心軸に平行に、第一給油路４７を（穿孔により）設けている。又、これと共に、この第一給油路４７に対し直交する方向に配設され、この第一給油路４７に上流端を、円筒状凸面１４ｂに下流端を、それぞれ開口させた３本の第二給油路４８ａ〜４８ｃを、それぞれ（穿孔により）設けている。そして、これら３本の第二給油路４８ａ〜４８ｃのうちの、設置状態で最も鉛直方向上側（一方の側）の第二給油路４８ａの下流端開口を、上記円筒状凸面１４ｂの軸方向に関し、パワーローラ８ａの中心軸よりも鉛直方向上側に位置（開口）させている。
【００４２】
より具体的には、上記最も上側の第二給油路４８ａの下流端開口を、上記パワーローラ８ａの中心軸と、設置状態でこのパワーローラ８ａの中心軸よりも上側で、且つ、スラスト玉軸受１７のピッチ円に対応する部分との間に位置（開口）させている。尚、上記３本の第二給油路４８ａ〜４８ｃのうちの、設置状態で鉛直方向中央の第二給油路４８ｂの下流端開口は、上記パワーローラ８ａの中心軸、即ち、支持軸側給油路２１の上流端開口と整合する位置に開口させている。又、最も鉛直方向下側（他方の側）の第二給油路４８ｃの下流端開口は、上記パワーローラ８ａの中心軸と、設置状態でこのパワーローラ８ａの中心軸よりも下側で、且つ、スラスト玉軸受１７のピッチ円に対応する部分との間に位置（開口）させている。更に本参考例の場合には、鉛直方向下側の傾転軸１１の下端面と、上記第一給油路４７との間に、第三給油路４９を（穿孔により）設け、この第三給油４９を通じてこの第一給油路４７に潤滑油を送り込める様にしている。尚、上記支持梁部１５ａの下端面で、上記第一給油路４７が開口する部分には、プラグ５０を内嵌固定し、この下流端開口を通じて潤滑油が漏れ出ない様にしている。
【００４３】
この様な本参考例の場合も、前述した実施の形態の第１〜４例と同様に、トラニオン９ｃの大型化を伴う事なく、このトラニオン９ｃの強度を確保しつつ、必要な部分に潤滑油を流通させる事ができる構造を、簡素且つ低コストで実現できる。
即ち、潤滑油を供給する為の給油路を、上述の様な第一〜第三給油路４７、４８ａ〜４８ｃ、４９により構成している為、上記トラニオン９ｃの支持梁部１５ａの背面（パワーローラ８ａと反対側の面）に給油路を開口させなくて済む。この為、この支持梁部１５ａ、延いてはトラニオン９ｃの強度を確保し易く、このトラニオン９ｃの大型化を防止できる（小型に構成できる）。又、上記第二給油路４８ａ〜４８ｃのうちの鉛直方向上側と同じく下側の第二給油路４８ａ、４８ｃの下流端は、上記円筒状凸面１４ａのうちで、上記支持軸側給油路２１の上流端開口に対向する部分から外れた位置に開口している為、上記上側、下側両第二給油路４８ａ、４８ｃを通じて、上記円筒状凸面１４ａと上記凹部１９ａの内面との摺動部に潤滑油を、他の部分に逃げる事なく直接送り込む事ができる。しかも、上述の様に最も上側の第二給油路４８ａの下流端を、上記パワーローラ８ａの中心軸よりも鉛直方向上側に位置（開口）させている。この為、上記円筒状凸面１４ｂと凹部１９ａの内面とのうちで、潤滑油が不足し易い部分である、設置状態で上記パワーローラ８ａの中心軸よりも鉛直方向上側部分にも、潤滑油を確実に送り込む事ができ、当該部分で揺動不良や微小摩耗、微小剥離（peeling ：ピーリング）等の損傷が発生する事を防止できる。
【００４４】
又、上記第一〜第三給油路４７、４８ａ〜４８ｃ、４９は、穿孔により形成できる為、前述の図１８〜２３に示した様な給油パイプ２４（図１８、１９、２１〜２３参照）を設ける場合に比べ、簡素且つ低コストに構成できる。しかも、本参考例の場合には、最も上側と下側の第二給油路４８ａ、４８ｃの下流端開口を、上記スラスト転玉軸受１７のピッチ円に対応する部分から外れた部分に位置（開口）させている為、上記支持梁部１５ａ延いてはトラニオン９ｃの強度をより確保し易くできる。この理由は、上記上流端開口が、上記スラスト転玉軸受１７の（各玉）を通じて最も大きな力が加わる部分から外れる事で、この上流端開口に加わる応力の低減を図れる為である。尚、図示は省略するが、上記最も上側の第二給油路４８ａの下流端を、設置状態で上記スラスト転玉軸受１７のピッチ円に対応する部分よりも鉛直方向上側で、且つ、トラニオン９ｂの内側面に設けた上側の段差面２６よりも下側に位置（開口）させる事もできる。又、前述の第２例の様に、設置状態で鉛直方向上側から潤滑油を送り込む構造に、本参考例の構造を適用する事もできる。この場合には、第三給油路の上流端を、鉛直方向上側の傾転軸１１の上端面に開口させる。又、第一の給油路を支持梁部の上端面に開口させると共に、この開口部分にプラグを内嵌固定する。
【図面の簡単な説明】
【００４５】
【図１】本発明の実施の形態の第１例を示す、図２４と同様の断面図。
【図２】トラニオンを取り出して内側（パワーローラを設置する側）から見た図。
【図３】外輪を取り出して外側（トラニオンを設置する側）から見た図。
【図４】本発明の実施の形態の第２例を示す、図１と同様の断面図。
【図５】同じく、図２と同様の図。
【図６】同じく、図３と同様の図。
【図７】本発明の実施の形態の第３例を、トラニオンにパワーローラ等を組み付けた状態で、図２と同方向から見た図。
【図８】図７のＡ−Ａ断面図。
【図９】図７のＢ−Ｂ断面図。
【図１０】図９のＣ部拡大図。
【図１１】トラニオンを取り出して内側（パワーローラを設置する側）から見た図。
【図１２】挟持部材を取り出して示す図で、（ａ）は図９の右方から見た図、（ｂ）は（ａ）のＤ−Ｄ断面図。
【図１３】本発明の実施の形態の第４例を示す、図９と同様の断面図。
【図１４】同じく、図２と同様の図。
【図１５】同じく、図３と同様の図。
【図１６】本発明に関連する参考例を示す、図９と同様の断面図。
【図１７】従来構造の第１例を示す断面図。
【図１８】同第２例を示す要部斜視図。
【図１９】同正面図。
【図２０】図１９の上方から見た平面図。
【図２１】図１９の右方から見た側面図。
【図２２】図２０のＥ−Ｅ断面図。
【図２３】図１９のＦ−Ｆ断面図。
【図２４】従来構造の第２例に関連する、本発明に先立って考えた構造を示す、図１７のＧ−Ｇ断面に対応する方向から見た断面図。
【符号の説明】
【００４６】
１ａ、１ｂ  入力側ディスク
２    入力回転軸
３    入力側内側面
４    出力歯車
５    出力筒
６    出力側ディスク
７    出力側内側面
８、８ａ  パワーローラ
９、９ａ、９ｂ、９ｃ  トラニオン
１０、１０ａ  支持軸
１１    傾転軸
１２    駆動軸
１３    押圧装置
１４、１４ａ、１４ｂ  円筒状凸面
１５、１５ａ  支持梁部
１６    ラジアルニードル軸受
１７    スラスト玉軸受
１８    外輪
１９、１９ａ  凹部
２０    ラジアルニードル軸受
２１    支持軸側給油路
２２    支持梁部側給油路
２３    凹部
２４    給油パイプ
２５    プーリ
２６    段差面
２７    スラストニードル軸受
２８    ロッド
２９    アクチュエータ
３０    ピストン部材
３１    第一隙間空間
３２    ワッシャ
３３    小径段部
３４    第二隙間空間
３５    第一凹溝
３６    第二凹溝
３７、３７ａ  上流側給油路
３８    支柱
３９    連結板
４０    連結板側給油路
４１    給油プラグ
４２    挟持部材
４３    部分円筒部
４４    側板部
４５ａ、４５ｂ、４５ｃ  貫通孔
４６    平坦面
４７    第一給油路
４８ａ、４８ｂ、４８ｃ  第二給油路
４９    第三給油路
５０    プラグ
【図１】
0004962358.tif 000002
【図２】
0004962358.tif 000003
【図３】
0004962358.tif 000004
【図４】
0004962358.tif 000005
【図５】
0004962358.tif 000006
【図６】
0004962358.tif 000007
【図７】
0004962358.tif 000008
【図８】
0004962358.tif 000009
【図９】
0004962358.tif 000010
【図１０】
0004962358.tif 000011
【図１１】
0004962358.tif 000012
【図１２】
0004962358.tif 000013
【図１３】
0004962358.tif 000014
【図１４】
0004962358.tif 000015
【図１５】
0004962358.tif 000016
【図１６】
0004962358.tif 000017
【図１７】
0004962358.tif 000018
【図１８】
0004962358.tif 000019
【図１９】
0004962358.tif 000020
【図２０】
0004962358.tif 000021
【図２１】
0004962358.tif 000022
【図２２】
0004962358.tif 000023
【図２３】
0004962358.tif 000024
【図２４】
0004962358.tif 000025